(57)【要約】  ワイヤレス通信基地局の方法と、ワイヤレス通信基地局と、ワイヤレス通信ネットワーク・ノードの方法と、ワイヤレス通信ネットワーク・ノードと、ワイヤレス通信ネットワーク・ユーザ機器の方法と、ワイヤレス通信ネットワークのユーザ機器と、コンピュータ・プログラム製品とが、開示される。ワイヤレス通信ネットワーク基地局の方法は、基地局によって提供されるセル内でユーザ機器に対して、それぞれの隣接するセルによって提供されるＭＢＭＳサービスの表示を符号化するメッセージを送信するステップを含んでいる。このようなやり方で、ユーザ機器は、現在のセル内に依然としてとどまるが、ユーザ機器には、それぞれの隣接するセルによって提供されるＭＢＭＳサービスについての情報が提供される。これにより、ユーザ機器は、ユーザ機器が移動し、また適切なサービス継続性を保証するために適切なアクションをとった後に、ＭＢＭＳサービスが使用可能になるかどうかについての決定を行うことができるようになる。
2017505073.tif 000002
【特許請求の範囲】
【請求項１】
ワイヤレス通信ネットワーク基地局の方法であって、
前記基地局によって提供されるセル内で、ユーザ機器に対して、それぞれの隣接するセルによって提供されるＭＢＭＳサービスの表示を符号化するメッセージを送信するステップを含む方法。
【請求項２】
前記メッセージは、それぞれの隣接するセルについて、前記セルと、その隣接するセルとによって共用されるＭＢＭＳサービスの表示を符号化する、請求項１に記載の方法。
【請求項３】
前記メッセージは、それぞれの隣接するセルについて、前記セルと、その隣接するセルとによって共用されるＭＢＳＦＮエリアの表示を符号化する、請求項１または２に記載の方法。
【請求項４】
ＭＢＳＦＮエリアの前記表示は、前記セルによって提供されるＭＢＳＦＮエリアが、その隣接するセルによっても提供されるかどうかを示すエリア・ビット・フィールドを含む、請求項３に記載の方法。
【請求項５】
前記エリア・ビット・フィールドは、前記セルのＭＢＭＳポイント・ツー・マルチポイント制御チャネルによって示される順序で、前記セルによって提供されるＭＢＳＦＮエリアを示すように順序付けられる、請求項４に記載の方法。
【請求項６】
前記メッセージは、それぞれの隣接するセルについて、前記セルと、その隣接するセルとによって共用されるＭＢＳＦＮエリアのサブセットの表示を符号化する、請求項１乃至５のいずれか１項に記載の方法。
【請求項７】
ＭＢＳＦＮエリアのサブセットの前記表示は、前記セルによって提供されるＭＢＳＦＮエリアのＭＢＭＳサービスが、その隣接するセルによっても提供されるかどうかを示すサブセット・ビット・フィールドを含む、請求項６に記載の方法。
【請求項８】
ＭＢＳＦＮエリアのサブセットの前記表示は、その隣接するセルによって提供されていないように示される各ＭＢＳＦＮエリアについて提供される、請求項６または７に記載の方法。
【請求項９】
ネットワーク・ノードから、前記メッセージの中で符号化されるべき、それぞれの隣接するセルによって提供されるＭＢＭＳサービスの前記表示を提供する情報を受信するステップを含む、請求項１乃至８のいずれか１項に記載の方法。
【請求項１０】
ワイヤレス通信ネットワークの基地局であって、
前記基地局によって提供されるセル内でユーザ機器に対して、それぞれの隣接するセルによって提供されるＭＢＭＳサービスの表示を符号化するメッセージを送信するように動作可能な送信ロジック
を備える基地局。
【請求項１１】
ワイヤレス通信ネットワーク・ノードの方法であって、
セルを提供する基地局に対して、それぞれの隣接するセルによって提供されるＭＢＭＳサービスの表示を符号化する情報を送信するステップ
を含む方法。
【請求項１２】
セルを提供する基地局に対して、それぞれの隣接するセルによって提供されるＭＢＭＳサービスの表示を符号化する情報を送信するように動作可能な送信ロジック
を備えるワイヤレス通信ネットワーク・ノード。
【請求項１３】
ワイヤレス通信ネットワーク・ユーザ機器の方法であって、
前記基地局によって提供される、それぞれの隣接するセルによって提供されるＭＢＭＳサービスの表示を符号化するメッセージを受信するステップと、
前記ユーザ機器の移動先である隣接するセルが、前記ユーザ機器によって必要とされるＭＢＭＳサービスを提供するかどうかを前記メッセージから決定するステップと、
提供しない場合には、ユニキャスト・ベアラの上で前記ＭＢＭＳサービスを要求するステップと
を含む方法。
【請求項１４】
ワイヤレス通信ネットワークのユーザ機器であって、
前記基地局によって提供される、それぞれの隣接するセルによって提供されるＭＢＭＳサービスの表示を符号化するメッセージを受信するように動作可能な受信ロジックと、
前記ユーザ機器の移動先である隣接するセルが、前記ユーザ機器によって必要とされるＭＢＭＳサービスを提供するかどうかを前記メッセージから決定し、提供しない場合は、ユニキャスト・ベアラの上で前記ＭＢＭＳサービスを要求するように動作可能な決定ロジックと
を備えるユーザ機器。
【請求項１５】
コンピュータの上で実行されるときに、請求項１乃至９、１１または１３のいずれか１項に記載の方法ステップを実行するように動作可能なコンピュータ・プログラム製品。
【発明の詳細な説明】
【技術分野】
【０００１】
本発明は、ワイヤレス通信基地局の方法と、ワイヤレス通信基地局と、ワイヤレス通信ネットワーク・ノードの方法と、ワイヤレス通信ネットワーク・ノードと、ワイヤレス通信ネットワーク・ユーザ機器の方法と、ワイヤレス通信ネットワークのユーザ機器と、コンピュータ・プログラム製品とに関する。
【背景技術】
【０００２】
ワイヤレス通信ネットワークが知られている。セルラー方式システムにおいては、無線カバレッジが、セルとして知られているエリアによって提供される。基地局が、無線カバレッジを提供するように各セルの中に位置している。従来の基地局は、比較的大きな地理的エリアの中でカバレッジを提供し、それらのセルは多くの場合、マクロ・セルと称される。ワイヤレス通信ネットワーク内に、より小さなサイズのセルを提供することが可能である。そのようなより小さなサイズのセルは、時に、スモール・セル、マイクロセル、ピコセル、フェムトセルと称されることもある。スモール・セルを確立する１つのやり方は、マクロ・セルのカバレッジに比べて比較的限られた範囲を有するカバレッジを提供するスモール・セル基地局を提供することである。スモール・セル基地局の送信電力は、比較的低く、またそれゆえに、各スモール・セルは、小規模なカバレッジ・エリアを提供し、また例えば、オフィスまたは家をカバーする。スモール・セルは、マクロ・セル内に、または任意のマクロ・セルのカバレッジ・エリアの外側に提供されることもある。
【０００３】
ユーザ機器に対して基地局によって送信される情報およびデータは、ダウンリンク・キャリアとして知られている無線キャリアのチャネルの上で発生する。基地局に対してユーザ機器によって送信される情報およびデータは、アップリンク・キャリアとして知られている無線キャリアのアップリンク・データ・チャネルの上で発生する。
【０００４】
例えば、マルチメディア・ブロードキャスト／マルチメディア・サービス（ＭＢＭＳ：ｍｕｌｔｉ−ｍｅｄｉａ  ｂｒｏａｄｃａｓｔ／ｍｕｌｔｉ−ｍｅｄｉａ  ｓｅｒｖｉｃｅｓ）などのサービスが、ユーザ機器に対して提供されることもある。とりわけ、サービスを受信することができるユーザ機器は、ユーザ機器にとって興味のあることもあるこれらのサービスを示すことができる。次いで、ユーザ機器は、興味のあるサービスを搬送するものとして示されるキャリア上で、興味のあるそのサービスを受信するように試みるであろう。
【０００５】
ユーザ機器に対してＭＢＭＳを提供するための技法が、存在しているが、予期せぬ結果が、起こる可能性もある。
【発明の概要】
【発明が解決しようとする課題】
【０００６】
したがって、ユーザ機器に対してＭＢＭＳを提供するための改善された技法を提供することが望ましい。
【課題を解決するための手段】
【０００７】
第１の態様によれば、ワイヤレス通信ネットワーク基地局の方法であって、基地局によって提供されるセル内でユーザ機器に対して、それぞれの隣接するセルによって提供されるＭＢＭＳサービスの表示を符号化するメッセージを送信するステップを含む方法が、提供されている。
【０００８】
第１の態様は、ＭＢＭＳが、無線リソース効率の観点からグループ通信をサポートするために適しているように見られることを認識している。これは、グループ通信が、多数の受信するグループ・メンバーに対する同じ情報の送信を必要とするからである。そのようなグループ通信は、特に公衆安全の使用（すなわち、救急サービスまたは他の政府機関による使用）に適しており、またサービスの低下が、潜在的に破滅的な結果をもたらす可能性があるので、サービス継続性は、そのような公衆安全の状況においては、特に重要である。しかしながら、第１の態様はまた、サービス継続性が、既存のＭＢＭＳ実装形態においては高優先順位ではないことを認識してもいる。とりわけ、ユーザ機器が、１つのセルから別のセルへと移動する場合には、その隣接するセルは、ユーザ機器が、加入しているサービスを提供しない可能性もある。隣接したセルが、そのサービスを提供しないことは、ユーザ機器が、発見するためにある時間かかることになり、その時間の後に、ユーザ機器は、新しいセルにおけるユニキャストの上のサービスを要求する必要があることになる。ユーザ機器が、マルチキャスト・ブロードキャスト単一周波数ネットワーク（ＭＢＳＦＮ：Ｍｕｌｔｉｃａｓｔ−ｂｒｏａｄｃａｓｔ  ｓｉｎｇｌｅ−ｆｒｅｑｕｅｎｃｙ  ｎｅｔｗｏｒｋ）から出て移動する場合、ユニキャストの上のサービス要求は、ユーザ機器に残される。これは、不十分なサービス継続性を提供するデータ中断をもたらす可能性があり、また受け入れられないサービスの低下をもたらす可能性がある。したがって、実施形態は、サービスがＭＢＭＳの上で提供される場合に、ユーザ機器が、ＭＢＳＦＮエリアに入り、ＭＢＳＦＮエリアから出ていくときにグループ通信についての改善されたサービス継続性を提供する。
【０００９】
したがって、ワイヤレス通信ネットワーク基地局のための方法が、提供されることもある。本方法は、基地局によって提供されるセル内でユーザ機器に対してメッセージを送信するステップを含むことができる。メッセージは、それぞれの隣接するセルによって提供されるＭＢＭＳサービスの表示を符号化することができる。このようなやり方で、ユーザ機器は、現在のセル内に依然としてとどまるが、ユーザ機器には、それぞれの隣接するセルによって提供されるＭＢＭＳサービスについての情報が提供される。これにより、ユーザ機器は、ユーザ機器が移動し、また適切なサービス継続性を保証するために適切なアクションをとった後に、ＭＢＭＳサービスが、使用可能になるかどうかについての決定を行うことができるようになる。
【００１０】
一実施形態においては、提供される情報は、必ずしも、隣接するセルによって提供されるすべてのＭＢＭＳサービスを示す可能性があるとは限らない。とりわけ、実施形態においては、隣接するセルのすべてのＭＢＭＳサービスは、必ずしもメッセージの中で符号化されているとは限らず、それらのうちの一部だけにすぎない。例えば、現在のセルの中で提供されないＭＢＭＳサービスが、隣接するセルの中で提供される場合に、実施形態においては、これらのＭＢＭＳサービスは、前記メッセージの中に示されてはいない（例えば、現在のセルが、ＭＢＭＳサービスＡ、Ｂ、Ｃを提案し、また隣接するセルが、ＭＢＭＳサービスＡ、Ｂ、Ｃ、Ｄ、Ｅを提供する場合、その場合には、メッセージは、サービスＡ、Ｂ、Ｃの表示を符号化するだけであるべきである）。それゆえに、一実施形態においては、情報は、現在のセルの中で提供されるＭＢＭＳサービスが、隣接するセルにおけるＭＢＭＳの上で提供されることもあるかどうかを示すだけである。現在のセルの中で提供されるＭＢＭＳサービスと比べて、隣接するセルの中で提供される追加のＭＢＭＳサービスが、存在している可能性がある。一実施形態においては、現在のセルの上で提供されないこれらのサービスについての情報は、ユーザ機器に対して信号で伝えられない。
【００１１】
一実施形態においては、メッセージは、それぞれの隣接するセルについて、セルと、その隣接するセルとによって共用されるＭＢＭＳサービスの表示を符号化する。それゆえに、メッセージは、ユーザ機器が、使用可能にならないことになるサービスを導き出すことができる隣接するセルにおいて使用可能でもあるすべてのサービスを示す。
【００１２】
一実施形態においては、メッセージは、それぞれの隣接するセルについて、セルと、その隣接するセルとによって共用されるＭＢＳＦＮエリアの表示を符号化する。したがって、共用される各ＭＢＳＦＮエリアは、使用可能であり、また場合によっては使用可能ではないＭＢＭＳサービスが、導き出され得る元のメッセージの中に示されることもある。
【００１３】
一実施形態においては、ＭＢＳＦＮエリアの表示は、セルによって提供されるＭＢＳＦＮエリアが、その隣接するセルによっても提供されるかどうかを示すエリア・ビット・フィールドを含んでいる。
【００１４】
一実施形態においては、エリア・ビット・フィールドは、セルのＭＢＭＳポイント・ツー・マルチポイント制御チャネルによって示される順序で、セルによって提供されるＭＢＳＦＮエリアを示すように順序付けられる。ＭＢＭＳポイント・ツー・マルチポイント制御チャネルにおいて示されるものと同じ順序でビット・フィールドを配列することにより、ＭＢＳＦＮエリアは、明示的に識別されることなく、導き出される可能性があり、これは、信号負荷を低減させる。
【００１５】
一実施形態においては、メッセージは、それぞれの隣接するセルについて、セルと、その隣接するセルとによって共用されるＭＢＳＦＮエリアのサブセットの表示を符号化する。
【００１６】
一実施形態においては、ＭＢＳＦＮエリアのサブセットの表示は、セルによって提供されるＭＢＳＦＮエリアのＭＢＭＳサービスが、その隣接するセルによっても提供されるかどうかを示すサブセット・ビット・フィールドを含んでいる。したがって、隣接するセルによって提供されるＭＢＳＦＮキャリアのＭＢＭＳサービスは、示されることもある。
【００１７】
一実施形態においては、サブセット・ビット・フィールドは、セルのＭＢＭＳポイント・ツー・マルチポイント制御チャネルによって示される順序で、セルによって提供されるＭＢＳＦＮエリアのＭＢＭＳサービスを示すように順序付けられる。この場合にもまた、ＭＢＭＳポイント・ツー・ポイント・マルチポイント制御チャネルによって示される順序で、ＭＢＭＳサービスを順序付けることは、ＭＢＭＳサービスを明示的に示す必要性を回避し、また信号負荷を低減させる。
【００１８】
一実施形態においては、ＭＢＳＦＮエリアのサブセットの表示は、その隣接するセルによって提供されていないように示される各ＭＢＳＦＮエリアについて、提供される。
【００１９】
一実施形態においては、本方法は、ネットワーク・ノードから、メッセージの中で符号化されるべき、それぞれの隣接するセルによって提供されるＭＢＭＳサービスの表示を提供する情報を受信するステップを含んでいる。
【００２０】
一実施形態においては、メッセージは、システム情報ブロックの内部で符号化される。
【００２１】
第２の態様によれば、ワイヤレス通信ネットワークの基地局であって、基地局によって提供されるセル内でユーザ機器に対して、それぞれの隣接するセルによって提供されるＭＢＭＳサービスの表示を符号化するメッセージを送信するように動作可能な送信ロジックを備える基地局が、提供されている。
【００２２】
一実施形態においては、メッセージは、それぞれの隣接するセルについて、セルと、その隣接するセルとによって共用されるＭＢＭＳサービスの表示を符号化する。
【００２３】
一実施形態においては、メッセージは、それぞれの隣接するセルについて、セルと、その隣接するセルとによって共用されるＭＢＳＦＮエリアの表示を符号化する。
【００２４】
一実施形態においては、ＭＢＳＦＮエリアの表示は、セルによって提供されるＭＢＳＦＮエリアが、その隣接するセルによっても提供されるかどうかを示すエリア・ビット・フィールドを含んでいる。
【００２５】
一実施形態においては、エリア・ビット・フィールドは、セルのＭＢＭＳポイント・ツー・マルチポイント制御チャネルによって示される順序で、セルによって提供されるＭＢＳＦＮエリアを示すように順序付けられる。
【００２６】
一実施形態においては、メッセージは、それぞれの隣接するセルについて、セルと、その隣接するセルとによって共用されるＭＢＳＦＮエリアのサブセットの表示を符号化する。
【００２７】
一実施形態においては、ＭＢＳＦＮエリアのサブセットの表示は、セルによって提供されるＭＢＳＦＮエリアのＭＢＭＳサービスが、その隣接するセルによっても提供されるかどうかを示すサブセット・ビット・フィールドを含んでいる。
【００２８】
一実施形態においては、サブセット・ビット・フィールドは、セルのＭＢＭＳポイント・ツー・マルチポイント制御チャネルによって示される順序で、セルによって提供されるＭＢＳＦＮエリアのＭＢＭＳサービスを示すように順序付けられる。
【００２９】
一実施形態においては、ＭＢＳＦＮエリアのサブセットの表示は、その隣接するセルによって提供されていないように示される各ＭＢＳＦＮエリアについて提供される。
【００３０】
一実施形態においては、基地局は、ネットワーク・ノードから、メッセージの中で符号化されるべき、それぞれの隣接するセルによって提供されるＭＢＭＳサービスの表示を提供する情報を受信するように動作可能な受信ロジックを備える。
【００３１】
一実施形態においては、メッセージは、システム情報ブロックの内部で符号化される。
【００３２】
第３の態様によれば、ワイヤレス通信ネットワーク・ノードの方法であって、セルを提供する基地局に対して、それぞれの隣接するセルによって提供されるＭＢＭＳサービスの表示を符号化する情報を送信するステップを含む方法が、提供されている。
【００３３】
一実施形態においては、情報は、それぞれの隣接するセルについて、セルと、その隣接するセルとによって共用されるＭＢＭＳサービスの表示を符号化する。
【００３４】
一実施形態においては、情報は、それぞれの隣接するセルについて、セルと、その隣接するセルとによって共用されるＭＢＳＦＮエリアの表示を符号化する。
【００３５】
一実施形態においては、ＭＢＳＦＮエリアの表示は、セルによって提供されるＭＢＳＦＮエリアが、その隣接するセルによっても提供されるかどうかを示すエリア・ビット・フィールドを含んでいる。
【００３６】
一実施形態においては、エリア・ビット・フィールドは、セルのＭＢＭＳポイント・ツー・マルチポイント制御チャネルによって示される順序で、セルによって提供されるＭＢＳＦＮエリアを示すように順序付けられる。
【００３７】
一実施形態においては、情報は、それぞれの隣接するセルについて、セルと、その隣接するセルとによって共用されるＭＢＳＦＮエリアのサブセットの表示を符号化する。
【００３８】
一実施形態においては、ＭＢＳＦＮエリアのサブセットの表示は、セルによって提供されるＭＢＳＦＮエリアのＭＢＭＳサービスが、その隣接するセルによっても提供されるかどうかを示すサブセット・ビット・フィールドを含んでいる。
【００３９】
一実施形態においては、サブセット・ビット・フィールドは、セルのＭＢＭＳポイント・ツー・マルチポイント制御チャネルによって示される順序で、セルによって提供されるＭＢＳＦＮエリアのＭＢＭＳサービスを示すように順序付けられる。
【００４０】
一実施形態においては、ＭＢＳＦＮエリアのサブセットの表示は、その隣接するセルによって提供されていないように示される各ＭＢＳＦＮエリアについて提供される。
【００４１】
第４の態様によれば、セルを提供する基地局に対して、それぞれの隣接するセルによって提供されるＭＢＭＳサービスの表示を符号化する情報を送信するように動作可能な送信ロジックを備えるワイヤレス通信ネットワーク・ノードが、提供されている。
【００４２】
一実施形態においては、情報は、それぞれの隣接するセルについて、セルと、その隣接するセルとによって共用されるＭＢＭＳサービスの表示を符号化する。
【００４３】
一実施形態においては、情報は、それぞれの隣接するセルについて、セルと、その隣接するセルとによって共用されるＭＢＳＦＮエリアの表示を符号化する。
【００４４】
一実施形態においては、ＭＢＳＦＮエリアの表示は、セルによって提供されるＭＢＳＦＮエリアが、その隣接するセルによっても提供されるかどうかを示すエリア・ビット・フィールドを含んでいる。
【００４５】
一実施形態においては、エリア・ビット・フィールドは、セルのＭＢＭＳポイント・ツー・マルチポイント制御チャネルによって示される順序で、セルによって提供されるＭＢＳＦＮエリアを示すように順序付けられる。
【００４６】
一実施形態においては、情報は、それぞれの隣接するセルについて、セルと、その隣接するセルとによって共用されるＭＢＳＦＮエリアのサブセットの表示を符号化する。
【００４７】
一実施形態においては、ＭＢＳＦＮエリアのサブセットの表示は、セルによって提供されるＭＢＳＦＮエリアのＭＢＭＳサービスが、その隣接するセルによっても提供されるかどうかを示すサブセット・ビット・フィールドを含んでいる。
【００４８】
一実施形態においては、サブセット・ビット・フィールドは、セルのＭＢＭＳポイント・ツー・マルチポイント制御チャネルによって示される順序で、セルによって提供されるＭＢＳＦＮエリアのＭＢＭＳサービスを示すように順序付けられる。
【００４９】
一実施形態においては、ＭＢＳＦＮエリアのサブセットの表示は、その隣接するセルによって提供されていないように示される各ＭＢＳＦＮエリアについて提供される。
【００５０】
第５の態様によれば、ワイヤレス通信ネットワーク・ユーザ機器の方法であって、基地局によって提供される、それぞれの隣接するセルによって提供されるＭＢＭＳサービスの表示を符号化するメッセージを受信するステップと、ユーザ機器の移動先である隣接するセルが、ユーザ機器によって必要とされるＭＢＭＳサービスを提供するかどうかをメッセージから決定するステップと、提供しない場合には、ユニキャスト・ベアラの上でＭＢＭＳサービスを要求するステップとを含む方法が、提供されている。
【００５１】
一実施形態においては、決定するステップは、隣接するセルへと移動することに先立って、ユニキャスト・ベアラの上でＭＢＭＳサービスを要求するステップを含んでいる。
【００５２】
一実施形態においては、決定するステップは、隣接するセルへと移動したすぐ後に、ユニキャスト・ベアラの上でＭＢＭＳサービスを要求するステップを含んでいる。
【００５３】
第６の態様によれば、ワイヤレス通信ネットワークのユーザ機器であって、基地局によって提供される、それぞれの隣接するセルによって提供されるＭＢＭＳサービスの表示を符号化するメッセージを受信するように動作可能な受信ロジックと、ユーザ機器の移動先である隣接するセルが、ユーザ機器によって必要とされるＭＢＭＳサービスを提供するかどうかをメッセージから決定し、提供しない場合は、ユニキャスト・ベアラの上でＭＢＭＳサービスを要求するように動作可能な決定ロジックとを備えるユーザ機器が、提供されている。
【００５４】
一実施形態においては、決定ロジックは、隣接するセルへと移動することに先立って、ユニキャスト・ベアラの上でＭＢＭＳサービスを要求するように動作可能である。
【００５５】
一実施形態においては、決定ロジックは、隣接するセルへと移動したすぐ後に、ユニキャスト・ベアラの上でＭＢＭＳサービスを要求するように動作可能である。
【００５６】
第７の態様によれば、コンピュータの上で実行されるときに、第１の態様、第３の態様、または第５の態様の方法ステップを実行するように動作可能なコンピュータ・プログラム製品が、提供されている。
【００５７】
さらなる特定の態様と、好ましい態様とは、添付の独立請求項と、従属請求項との形で設定される。従属請求項の特徴は、必要に応じて独立請求項の特徴と組み合わされることもあり、また特許請求の範囲において明示的に設定されるこれらの組合せ以外の組合せの形で組み合わされることもある。
【００５８】
装置の特徴が、機能を提供するように動作可能であるように説明される場合に、これは、その機能を提供する装置の特徴、あるいはその機能を提供するように適合され、または構成されている装置の特徴を含むことが、理解されるであろう。
【００５９】
本発明の実施形態が、次に、添付の図面を参照して、さらに説明されるであろう。
【図面の簡単な説明】
【００６０】
【図１】ＭＢＭＳを提供するワイヤレス通信ネットワークの主要なコンポーネントを示す図である。
【図２】Ｅ−ＭＢＭＳ制御プレーン・アーキテクチャをより詳細に、概略的に示す図である。
【図３】１つまたは複数のサービスが、マルチキャスト・ブロードキャスト単一周波数ネットワーク（ＭＢＳＦＮ）エリアの内部に提供される場合の典型的な展開シナリオを示す図である。
【発明を実施するための形態】
【００６１】
概説
実施形態をどのようにもより詳細に考察する前に、先ず、概説が、提供されるであろう。実施形態は、情報が、ＭＢＭＳサービスなど、どのグループ通信サービスが隣接するセルによって提供されるかを詳述する１つのセル内で提供される場合の技法を提供している。これにより、そのようなＭＢＭＳサービスに加入しているユーザ機器は、それが隣接するセルにハンドオーバし、または移動する場合に、それが必要とするＭＢＭＳサービスが使用可能になるか否かを決定することができるようになる。この情報に基づいて、ユーザ機器が、サービスがその隣接するセルによってＭＢＭＳの上で提供されないという隣接するセルへと移動している場合に、ユーザ機器は、サービスについてユニキャスト・ベアラに要求することができる。これは、ＭＢＭＳサービスが使用可能であるか否かについての決定が、ずっとより高速に行われることを可能にし、またユニキャスト・サービスが、別のセルへのどのような移動にも先立って、設定されることさえも可能にし、それによってサービス継続性を大幅に改善している。
【００６２】
一実施形態は、ビットマップを利用して、隣接する１つまたは複数のセルにおける使用可能なサービスを示す。実施形態はまた、デルタ信号を利用しており、ここでは、情報は、現在のセルの中で提供されるサービスが、隣接する１つまたは複数のセルの中でも提供されるかどうかを示している。信号負荷を最小にするために、情報は、隣接するセルが、現在のセルと同じＭＢＳＦＮエリアに属する場合に、サービス・レベル情報が、提供されないようなやり方でフォーマットされる。
【００６３】
一実施形態においては、情報は、既存のシステム情報ブロック（例えば、ＳＩＢ１５）または新しいシステム情報ブロックの内部のいずれかで、無線リソース接続（ＲＲＣ：ｒａｄｉｏ  ｒｅｓｏｕｒｃｅ  ｃｏｎｎｅｃｔｉｏｎ）ブロードキャスト信号を使用して、ユーザ機器に対して信号で伝えられる。マルチセル／マルチキャスト協調エンティティ（ＭＣＥ：Ｍｕｌｔｉ−ｃｅｌｌ／ｍｕｌｔｉｃａｓｔ  Ｃｏｏｒｄｉｎａｔｉｏｎ  Ｅｎｔｉｔｙ）は、ネットワーク信号を使用して、基地局に対して、隣接するセルの中で使用可能なサービスに関する情報を提供している。信号の中で示されるサービスは、グループ通信のために使用されるこれらのサービスだけに限定されることもある。
【００６４】
背景として、図１は、進化型ユニバーサル地上波無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を有する進化型パケット・システムについての参照アーキテクチャを概略的に示すものである。図１から分かるように、コンテンツ・プロバイダは、ユーザ・グループのメンバーまたは加入者に対して送信されるべきサービス・データをブロードキャスト・マルチメディア・サービス・センター（ＢＭ−ＳＣ：ｂｒｏａｄｃａｓｔ  ｍｕｌｔｉｍｅｄｉａ  ｓｅｒｖｉｃｅ  ｃｅｎｔｒｅ）に提供する。ＢＭ−ＳＣは、一般的に、グループ・ユーザに対してルーティングされるべきコンテンツの暗号化を実行する。ＢＭ−ＳＣは、制御信号と、トラフィック信号とをＭＢＭＳゲートウェイに提供し、またＭＢＭＳゲートウェイは、それぞれ、Ｅ−ＵＴＲＡＮと、モビリティ管理エンティティ（ＭＭＥ：ｍｏｂｉｌｉｔｙ  ｍａｎａｇｅｍｅｎｔ  ｅｎｔｉｔｙ）とに対して、トラフィック信号と、制御信号とを提供するように動作可能である。ＭＢＭＳ通信を実行するときに、Ｅ−ＵＴＲＡＮは、マルチキャスト・エンティティ（ＭＣＥ：ｍｕｌｔｉ  ｃａｓｔ  ｅｎｔｉｔｙ）コーディネータを含んでいる。
【００６５】
図２は、Ｅ−ＭＢＭＳ制御プレーン・アーキテクチャをより詳細に、概略的に示すものである。
【００６６】
例示の展開
図３は、１つまたは複数のサービスが、マルチキャスト・ブロードキャスト単一周波数ネットワーク（ＭＢＳＦＮ）エリアの内部で提供される場合の典型的な展開シナリオを示すものである。強調されたセルは、ＭＢＳＦＮエリアを形成する。ＭＢＳＦＮエリアの外側では、サービスは、ユニキャスト・ベアラからのユーザ機器からの要求に応じて、提供される。ＭＢＳＦＮエリアの内側では、サービスは、ＭＢＭＳの上で提供される。
【００６７】
この例においては、ユーザ機器が、セルＡにおいて、ＭＢＭＳの上でサービスを受信していることが、仮定される。ユーザ機器は、セルＡからセルＢへと移動している。ユーザ機器が、ＲＲＣ＿アイドルの状態にある場合、そのときには、ユーザ機器は、セル再選択プロシージャを実行して、移動するべき最良のセルを見出す。ユーザ機器が、ＲＲＣ＿接続された状態にある場合、そのときには、ユーザ機器は、ハンドオーバ・プロシージャを実行する。両方の状況において、ユーザ機器が移動している相手先のセルは、この例セルＢにおいて、そのセルへと移動することに先立って、ユーザ機器によって知られている。
【００６８】
ユーザ機器が、ユーザ機器がＭＢＭＳの上で現在受信しているサービスがセルＢにおいてＭＢＭＳの上で使用可能でないという情報を有する場合、そのときには、ユーザ機器は、セルＢへと移動することに先立ってか、または移動したすぐ後にかのいずれかで、ユニキャストの上でサービスを要求することができる。それゆえに、サービスの中断は、セル変更中に回避される。
【００６９】
これを達成するために、現在のセルは、サービスがセルＢにおいてＭＢＭＳの上で提供されることについての情報を提供する必要がある。既存のネットワークの内部で、セルは、８つまでのＭＢＳＦＮエリアに属することができる。隣接するセル（例えば、セルＢ）が、現在のセルと同じＭＢＳＦＮエリア、またはＭＢＳＦＮエリアのサブセットに属する場合、対応するＭＢＳＦＮエリアの上のサービスは、隣接するセルにおいてＭＢＭＳの上で継続される。また、たとえ隣接するセルと、現在のセルとが、同じＭＢＳＦＮエリアに属していないとしても、そのときには、現在のセルにおいてＭＢＭＳの上で提供されるサービスは、依然として隣接するセルにおいて提供されることもあるが、異なるＭＢＳＦＮエリアにおいてである。代わりに、サービスは、ユニキャスト・ベアラの上で提供される可能性もある。
【００７０】
それゆえに、隣接するセルが、同じＭＢＳＦＮエリアを共用するか（またそれゆえに、そのエリアについてのすべてのＭＢＭＳサービスを既に提供しているか）どうか、あるいは隣接するセルによって共用されないＭＢＳＦＮエリアの内部のＭＢＭＳサービスが、それにもかかわらず、その隣接するセルによって提供される別のＭＢＭＳエリアによって提供されるか（それゆえに、必要とされるサービスが、異なるＭＢＳＦＮエリアの内部であるにもかかわらず、依然として、ＭＢＭＳの上で提供されているか）どうかを示す情報が、必要とされる。サービスが、セルによって共用されるＭＢＳＦＮエリアの内部に、または隣接するセルの別のＭＢＳＦＮエリアの内部にない場合、そのときには、ユニキャスト・サーバが、確立されて、ユーザ機器が隣接するセルへと移動するときに、ユーザ機器にそのサービスを提供することができる。
【００７１】
情報構造
必要とされる信号の量を最適化し、また最小にするために、隣接するセルによって提供されるサービスに関して、セルによって提供される情報は、以下のように一実施形態において符号化される。
【００７２】
セル識別子は、情報が関連している隣接するセルを識別する。
【００７３】
その後に、８ビットの長さを有するビットマップの形式におけるＭＢＳＦＮエリア・フィールドを使用して、隣接するセルと、現在のセルとが、同じＭＢＳＦＮエリアに属するかどうかを示す。ビットマップの順序は、現在のセルＭＣＣＨによって信号で伝えられるＭＢＳＦＮエリアの順序を表す。Ａ１は、現在のセルと、隣接するセルとが、同じＭＢＳＦＮエリアに属することを示す。Ａ０は、現在のセルと、隣接するセルとが、同じＭＢＳＦＮエリアに属していないことを示す。例えば、現在のセルが、８つのＭＢＳＦＮエリア、ＭＢＳＦＮＡ〜Ｈに属しており、また隣接するセルもまた、ＭＢＳＦＮＡ〜Ｈに属している場合、そのときには、ビットマップの中のあらゆるビットは、１（すなわち、１１１１１１１１）に設定されて、２つのセルが、同一のＭＢＳＦＮエリアを共用することを示すことになる。この場合には、さらなる情報は、その隣接するセルのＭＢＭＳサービスに関連して、ユーザ機器に対して提供される必要はない。これは、現在のセルにおいて、ユーザ機器に対して現在提供されているあらゆるＭＢＭＳサービスが、隣接するセルにおけるユーザ機器に対しても提供されることになるからである。
【００７４】
しかしながら、隣接するセルは、あらゆるＭＢＳＦＮエリアに属していなくてもよい。例えば、隣接するセルは、ＭＢＳＦＮエリア、ＭＢＳＦＮＤ〜Ｆに属していなくてもよい。したがって、ＭＢＳＦＮエリア・フィールドは、１１１０００１１というビットマップを符号化して、隣接するセルが、ＭＢＳＦＮエリア、ＭＢＳＦＮＡ〜Ｃに属しており、ＭＢＳＦＮエリア、ＭＢＳＦＮＤ〜Ｆに属していないが、ＭＢＳＦＮエリア、ＭＢＳＦＮＧ〜Ｈに属していることを示すことになる。この場合にもまた、これが、現在のセルＭＣＣＨから導き出されることもあるので、ＭＢＳＦＮエリアを明示的に識別することは、必要ではない。このフィールドから、隣接するセルと、現在のセルとは、現在のセルのＭＢＳＦＮエリアのうちの５つに属するが、これらのＭＢＳＦＮエリアのうちの３つには属していないことが、識別される可能性がある。
【００７５】
隣接するセルが、属していないＭＢＳＦＮエリアでは、ＭＢＭＳサービス・フィールドが、これらの３つのＭＢＳＦＮエリアのうちのどのサービスが、それにもかかわらず、隣接するセルにおいて、ＭＢＭＳの上で提供されるかを示す第２のビットマップとして、提供される。１つのＭＢＭＳサービス・フィールドは、３つのＭＢＳＦＮエリアのそれぞれについて提供され、またこれらのＭＢＳＦＮエリアが、現在のセルの対応するＭＣＣＨにおいて示される順序で、提供される。
【００７６】
第２のビットマップは、可変長のものであり、ここでは、長さは、現在のセルの対応するＭＣＣＨにおいて信号で伝えられるベアラ構成の中で示されるように、各ＭＢＳＦＮエリアの中で提供されるサービスの数に依存する。ビットマップの長さはまた、ビットマップと一緒に信号で伝えられて、情報を復号する際にユーザ機器を支援することもできる。
【００７７】
この場合にもまた、サービスは、ＭＣＣＨにおいて提供されるものと同じ順序で、第２のビットマップの形でリストアップされる。１という値は、サービスが、隣接するセルにおいてＭＢＭＳの上で提供されることを示すが、０という値は、サービスが、隣接するセルにおいてＭＢＭＳの上で提供されないことを示す。
【００７８】
例えば、万一ＭＢＳＦＮエリア、ＭＢＳＦＮＤが、４つのＭＢＭＳサービス、ＭＢＭＳＡ〜Ｄを有する場合、そのときには、ＭＢＭＳフィールドは、４ビットの長さを有することになる。万一ＭＢＭＳＡと、ＭＢＭＳＢと、ＭＢＭＳＤとが、隣接するセルにおいて提供されるが、ＭＢＭＳＣが、提供されない場合、そのときには、ビットマップは、値１１０１を有することになる。疑いを回避するために、ＭＢＭＳＡと、ＭＢＭＳＢと、ＭＢＭＳＤとが、隣接するセルにおいて提供されるが、このＭＢＳＦＮエリアが、その隣接するセルによって提供されないので、これらは、ＭＢＳＦＮＤにおいては提供されないことになるが、隣接するセルによって提供される他のＭＢＳＦＮエリアのうちの１つの内部でサービスとして提供されることになることが、理解されるであろう。ユーザ機器は、ＭＢＭＳ信号を使用して、これらの他のＭＢＳＦＮエリアのうちのどれが、そのサービスを搬送するかを決定することができる。
【００７９】
サービスが、隣接するセルにおいてＭＢＭＳの上で提供されない場合、そのときには、ユーザ機器は、隣接するセルへと移動することに先立ってサービスについてユニキャスト・ベアラを確立することができる（このユニキャスト・ベアラは、ユーザ機器が移動するときに移動させられ、またはハンドオーバされることにもなる）。代わりに、ユーザ機器は、隣接するセルへと移動したすぐ後に、ユニキャスト・ベアラを確立することができる。
【００８０】
隣接するセルにおいて、ＭＢＭＳの上で提供されるサービスが、同じＭＢＳＦＮエリアの中にある（すなわち、そのＭＢＳＦＮエリアについてのＭＢＳＦＮエリア・フィールドは、１に設定される）場合、そのときには、ユーザ機器は、対応するＭＣＣＨの上でサービスを受信し続ける。
【００８１】
サービスが、隣接するセルにおいて、ただし異なるＭＢＳＦＮエリアにおいて、ＭＢＭＳの上で提供される（すなわち、ＭＢＳＦＮエリアについての第１のビットマップが、０に設定され、またＭＢＭＳサービスについての第２のビットマップが、１に設定される）場合、そのときには、ユーザ機器は、必要とされるＭＢＭＳサービスを見出すために、隣接するセルにおいて、ＭＢＭＳベアラ構成についての隣接するセルのＭＣＣＨを読み取るように要求される。
【００８２】
それぞれの隣接するセルについての第１のビットマップと、第２のビットマップとは、既存のＳＩＢまたは追加のＳＩＢを使用して、現在のセルにおいて提供される。ＭＣＥは、基地局に対して情報を提供しており、ここでは、ＳＩＢは、次いで、ユーザ機器に対する無線インターフェースの上の送信のために、フォーマットされる。
【００８３】
ＳＩＢアップデート・プロシージャが、レガシー・システム情報アップデートに対する類似したプロシージャに続くことができる。他方では、グループ通信サポート・ユーザ機器が、ＳＩＢ修正期間中に少なくとも一度、隣接するセル情報を搬送するＳＩＢを読み取るために必要とされる。さらに、隣接するセルの情報変更通知を搬送するＳＩＢの特別なハンドリングもまた、考えられる可能性もある。
【００８４】
さらなる信号最適化が、グループ通信のサービスだけに隣接するセルのサービス情報を限定することにより、取得される可能性がある。グループ通信情報（そのサービスは、グループ通信に属する）は、この最適化についてＭＣＥによって知られているべきである。ＢＭ−ＳＣは、グループ通信のために使用されるＴＭＧＩの組についてＭＣＥに通知することができる。ＭＢＭＳサービスの追加または除去が、ＭＣＣＨの上で示されることに注意すべきである。ＭＣＣＨは、既存の仕様に従って５．１２秒から１０．２４秒の修正周期を有する。それゆえに、隣接するセルのサービス情報アップデートは、ＭＣＣＨ修正と同じ順序であることが期待される。
【００８５】
ユーザ機器が、サービスがＭＢＭＳの上で提供されるＭＢＳＦＮエリアの中に移動し、またＭＢＳＦＮエリアの外へと移動するときに、この構成は、サービス継続性を可能にする方法およびプロシージャを提供しているのに対して、ＭＢＳＦＮエリアの外側にあるときに、サービスは、ユニキャストの上で提供される。この構成は、隣接するセル情報が、現在のセルの中でユーザ機器に対して提供されることを可能にしており、またこのようにして、ユーザ機器は、ユーザ機器がその隣接するセルへと移動することに先立って、隣接するセルにおけるサービス使用可能性について知っている。それゆえに、ユニキャスト・ベアラは、要求される可能性があるが、ユーザ機器は、ＭＢＭＳの上でサービスを受信しており、それゆえに、どのような可能性のあるサービスの中断も軽減している。
【００８６】
当業者なら、様々な上記で説明された方法のステップが、プログラムされたコンピュータによって実行され得ることを簡単に認識するであろう。本明細書においては、いくつかの実施形態はまた、プログラム・ストレージ・デバイス、例えば、デジタル・データ・ストレージ媒体を網羅することも意図しており、このプログラム・ストレージ・デバイスは、マシン読み取り可能、またはコンピュータ読み取り可能であり、また命令のマシン実行可能なプログラム、またはコンピュータ実行可能なプログラムを符号化しており、そこでは前記命令は、前記上記で説明された方法のステップのうちの一部または全部を実行する。プログラム・ストレージ・デバイスは、例えば、デジタル・メモリ、磁気ディスクや磁気テープなどの磁気ストレージ媒体、ハード・ドライブ、または光学的に読み取り可能なデジタル・データ・ストレージ媒体とすることができる。それらの実施形態はまた、上記で説明された方法の前記ステップを実行するようにプログラムされるコンピュータを網羅することも意図している。
【００８７】
「プロセッサ」または「ロジック」としてラベル付けされた任意の機能ブロックを含めて、図面の中に示される様々な要素についての機能は、専用のハードウェア、ならびに適切なソフトウェアに関連してソフトウェアを実行することができるハードウェアの使用を通して提供されてもよい。プロセッサによって提供されるときに、それらの機能は、単一の専用のプロセッサによって、単一の共用のプロセッサによって、またはそれらのうちのいくつかが共用され得る複数の個別のプロセッサによって提供されてもよい。さらに、「プロセッサ」または「制御装置」、あるいは「ロジック」という用語の明示的な使用は、ソフトウェアを実行することができるハードウェアだけを排他的に意味するように解釈されるべきではなく、また限定することなく、デジタル信号プロセッサ（ＤＳＰ：ｄｉｇｉｔａｌ  ｓｉｇｎａｌ  ｐｒｏｃｅｓｓｏｒ）のハードウェアと、ネットワーク・プロセッサと、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）と、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）と、ソフトウェアを記憶するためのリード・オンリー・メモリ（ＲＯＭ：ｒｅａｄ  ｏｎｌｙ  ｍｅｍｏｒｙ）と、ランダム・アクセス・メモリ（ＲＡＭ：ｒａｎｄｏｍ  ａｃｃｅｓｓ  ｍｅｍｏｒｙ）と、不揮発性ストレージとを暗黙のうちに含むことができる。他のハードウェアが、従来のものおよび／またはカスタムのものもまた、含められる可能性がある。同様に、図面の中に示される任意のスイッチは、概念的なものにすぎない。それらの機能は、プログラム・ロジックのオペレーションを通して、専用のロジックを通して、プログラム制御と専用のロジックとの相互作用を通して、または手動によってさえも、実行される可能性があり、特定の技法は、文脈からもっと具体的に理解されるように、実装者によって選択可能である。
【００８８】
本明細書における任意のブロック図は、本発明の原理を実施する実例となる回路の概念図を表すことが、当業者によって理解されるべきである。同様に、任意のフロー・チャートと、流れ図と、状態遷移図と、擬似コードなどとは、コンピュータ読み取り可能媒体の形で実質的に表され、またそのようにしてコンピュータまたはプロセッサによって、そのようなコンピュータまたはプロセッサが明示的に示されているか否かにかかわらず、実行され得る様々なプロセスを表すことが、理解されるであろう。
【００８９】
説明および図面は、単に本発明の原理を示しているにすぎない。したがって、当業者なら、本明細書において明示的に説明されても、または示されてもいないけれど、本発明の原理を実施し、また本発明の精神および範囲の内部に含まれる様々な構成を考案することができるようになることが理解されるであろう。さらに、本明細書において列挙されるすべての例は、主として、本発明者（単数または複数）が当技術を推進することに寄与している本発明の原理および概念を理解するに際して、読者を支援する教育上の目的のためにすぎないように明示的に意図され、またそのような具体的に列挙された例および状態だけに限定することのないように解釈されるべきである。さらに、本発明の原理、態様および実施形態を列挙している本明細書におけるすべての記述、ならびにその特定の例は、その同等物を包含することを意図している。
【図１】
2017505073.tif 000003
【図２】
2017505073.tif 000004
【図３】
2017505073.tif 000005
【国際調査報告】
2017505073.tif 000006
2017505073.tif 000007
2017505073.tif 000008
2017505073.tif 000009
2017505073.tif 000010